(57)【要約】【課題】読書に集中するという目的のために作られたシオリというものはない。また、老眼になると、老眼鏡をかけても、次の行へ移る時、頭の文字を探すのに迷うことがある。また、高齢者のために軽便なルーペ付きシオリがあれば便利である。【解決手段】学生が教科書などを読む場合、下敷きで片方の活字を隠して、それをずらしながら読み進むが、コの字型で両側を隠し、数行の活字のみを見るシオリを作り、それをずらしながら読み進めばもっと読書に集中できる。さらにこのシオリと組み合わせて一体となる装置で、高齢者のために、書物を閉じれば通常のシオリだが、書物を開けばバネ仕掛けでルーペが浮き上がって活字との間に適当な距離を保ち、拡大文字を見ることができるようにした。【選択図】図１
2007210314.tif 000002
【特許請求の範囲】
【請求項１】
書物にはさむシオリにおいて、書物を閉じた時はただのシオリだが、書物を開いた時は、縦書きの書物の場合は上からぶら下がる形、横書きの書物の場合は横から差し込む形のコの字型で、前後の行を隠し、コの字の枠の中の５行から１０行の活字のみが見える作りとし、それを指先でずらし、読書に集中しながら読み進めることを特徴とするシオリ。
【請求項２】
請求項１のコの字型を台枠とし、これにステンレスやプラスティック等弾性素材の枠に軽量薄型のプラスティック製ルーペをつけたルーペを重ねてとりつけ、書物を閉じた時はルーペ枠の弾性素材が押さえつけられて薄いシオリになり、書物を開けば弾性素材がルーペ枠を持ち上げて、高齢者に適した拡大文字を読めることを特徴とする、読書用ルーペ付きシオリ。
【発明の詳細な説明】
【技術分野】
【０００１】  本発明は、読書に集中するためのシオリに関する。
【背景技術】
【０００２】  従来のシオリには、書類の行を間違いなく読むための行読み定規（例えば、特許文献１、２）がある。また、クリップを使用して行を指し示すと同時に、ページを抑えて読みやすくする効果を狙ったもの（例えば特許文献３）、レンズ付きしおり（例えば特許文献４）、拡大レンズ及びメジャーが付いたもの（例えば特許文献５）などがある。
【特許文献１】  実登３０１４６８４
【特許文献２】  実開昭５２−８７３４１
【特許文献３】  実開昭５８−１０１７７２
【特許文献４】  実開平６−７９５６８
【特許文献５】  意匠登録１０９０９７７
【発明の開示】
【発明が解決しようとする課題】
【０００３】  以上に述べた特許文献１はワープロなどの行のつまった書類を見るには便利だが、１行を読むためのものであり、読書には不向きである。特許文献２は、ある特定の行を指すにはよいが、読書に集中させようと意図したものではない。特許文献３は書類を抑えるという特徴をもっているだけに、行を追う場合、いちいちクリップをつまんで移動させなければならないという不便さがともなう。拡大レンズがついているものとしては以下の２件があるが、特許文献４は、電話帳の中の電話番号など１行を拡大して読みとるにはすぐれているが、読書の場合、前の行を読み返したり次の行へ移る時などは却ってわずらわしい。特許文献５も、ごく一部の文字を拡大するにはいいが、読書には向かない。
【課題を解決するための手段】
【０００４】  本発明は、このような従来のシオリが有していた問題を解決しようとするものであり、書物を閉じた時はただのシオリだが、書物を開いた時は、縦書きの書物の場合は上からぶら下がる形、横書きの書物の場合は横から差し込む形のコの字型で、前後の行を隠し、コの字の枠の中の５行から１０行の活字のみが見える作りとし、それを指先でずらし、読書に集中しながら読み進めることを特徴とするシオリで、さらにこれにステンレスやプラスティック等弾性素材の枠に軽量薄型のプラスティック製ルーペをつけたルーペを重ねてとりつけ、書物を閉じた時はルーペ枠の弾性素材が押さえつけられて薄いシオリになり、書物を開けば弾性素材がルーペ枠を持ち上げて、高齢者に適した拡大文字を読むことができるようにしたものである。
【発明の効果】
【０００５】  学生は、教科書等の行を追うため、よく下敷きをあてがって片側の活字を隠し、それをずらしながら読むが、本発明はコの字型で余分な両側の活字を隠すので、読書に集中できる（図９参照）。さらに、高齢者用に大きなルーペを取り付けたが、ルーペ越しに読書をする場合も、次の行の頭を探すのに苦労するという不便を、コの字型の枠が解消する。
【発明を実施するための最良の形態】
【０００６】  以下、本発明実施の形態を図１〜図９に基づいて説明する。
図１は本発明の全容を示す斜視図で、書物を開いて使用する時の姿である。１は請求項１のコの字型の枠（２の下に隠れている部分は図２参照）で、折り返した４の部分とで書物数枚をはさんでずらしながら読み進む。２はおりかえした６の部分を１と４の上にかぶせてはめ込む請求項２のルーペ枠（枠は弾性素材のステンレスまたはプラスティック製）で、７の部分で２に貼り付けた３（斜線部分）のルーペは、ルーペ枠の弾性素材に持ち上げられて、高齢者が読書をするのに適した間隔を活字との間に保っている。書物を閉じれば弾性素材がつぶれて通常のシオリになる。８は２の弾性素材を折り曲げて紙のような厚さにつぶした部分である。
図２は本発明の請求項１のコの字型の枠の斜視図である。折り返し部分（４）を書物数枚の下へ入れてはさみ、ずらしながち読み進めば、読書に集中する指導のに適した行数の活字をコの字の中にとらえることができる（図９参照）。
図３は請求項２のルーペ枠の斜視図である。この６の部分を図２の４の上にかぶせ、はめこんで使用する。
図４は図２のコの字型枠の側面図である。４を書物に引っかけ、数枚を挟んだままずらしながら読み進む。
図５はルーペ枠２の側面図である。６の折り返し部分を４に引っかけて固定する。７の部分で２に貼り付けたルーペ（３）が活字との間に距離を保って高齢者の読書をたすけ、書物を閉じれば押しつぶされて薄くなる。
図６は２は一枚板であるという構造を説明するためにつけ加えた図で、図５の８の部分を押しつぶす前の状態であるから、完成品にはこのような部品はない。
図７はコの字型枠の平面図で、１−ａは上から見た図で、折り返しの４は向こう側に折り曲げてある。１−ｂは１−ａを裏返した図であり、４は手前に折り曲げられてある。
図８はルーペ枠の平面図で、２−ａは上から見た図。２−ｂは裏側から見た図で、６は手前に折り曲げてある。
図９は請求項１のコの字型のシオリを書物にあてはめて実際に使う場合の平面図で、１は枠、５は書物である。１は書物の上に引っかけ、指１本でずらしながら読む。９は後述。
【産業上の利用可能性】
【０００７】  請求項１の枠のみならコストもかからないので、企業等がコマーシャル（図９の９）を入れれば、コマーシャルの文字列は縦書きの書物の場合は横、横書きの書物の場合は縦となって読書の妨げにはならず、宣伝用に無料で配布するシオリとしても使えるものとなる。
【図面の簡単な説明】
【０００８】
【図１】本発明の全容を示す斜視図
【図２】同請求項１の斜視図
【図３】同請求項２の斜視図
【図４】請求項１のコの字型シオリの側面図
【図５】請求項２のルーペ枠の側面図
【図６】図５の構造を説明するための、仮想の完成前の側面図
【図７】請求項１のコの字型枠の平面図
【図８】請求項２のルーペ枠の平面図
【図９】コの字型シオリを実際に書籍にあてがって読む場合の平面図
【符号の説明】
【０００９】１  請求項１のコの字型枠。
２  請求項２のルーペ枠。
３  プラスティック製の薄いルーペ。
４  １と一枚板で、折り返した部分。
５  書物の１ページ。
６  ２と一枚板で折り返した部分で、ここが４の上にかぶさる。
７  ルーペとルーペ枠を貼り合わせた部分。
８  ２を折り曲げてつぶした部分。
９  企業名などのコマーシャル。
【図１】
2007210314.tif 000003
【図２】
2007210314.tif 000004
【図３】
2007210314.tif 000005
【図４】
2007210314.tif 000006
【図５】
2007210314.tif 000007
【図６】
2007210314.tif 000008
【図７】
2007210314.tif 000009
【図８】
2007210314.tif 000010
【図９】
2007210314.tif 000011